(57)【要約】【課題】スレーブユニットの感度を向上させて、スレーブユニットと被写体とが離れていても外付けのストロボ装置に発光制御信号を出力できるようにすること。【解決手段】スレーブユニットの光を入光する透明の窓とは反対の背面を透過部材で構成し、透明の窓から入光する光に加えて、背面から入光した光で前記透明の窓を回り込んだ光も内蔵の受光素子で受光するようにする。【選択図】　図１
2004053754.tif 000002
【特許請求の範囲】
【請求項１】
ストロボ装置に接続され、被写体からの反射光を透明の窓から入光してその変化を感知して前記ストロボ装置を発光させるスレーブユニットにおいて、
前記反射光を入光する透明の窓以外の筐体部分の一部又は全部を透過部材で構成したことを特徴とするスレーブユニット。
【請求項２】
前記反射光を入光する透明の窓とは反対の背面を透過部材で構成したことを特徴とする請求項１に記載のスレーブユニット。
【請求項３】
前記透明の窓は半球状であることを特徴とする請求項１又は２に記載のスレーブユニット。
【発明の詳細な説明】
【０００１】
【発明の属する技術分野】
本発明は外付けのストロボ装置に接続して用いられ、被写体からの反射光の変化により前記ストロボ装置の発光を起動する発光制御信号を出力するスレーブユニットに関する。
【０００２】
【従来の技術】
従来より、ストロボ付きのカメラを用いて撮影をする際に、付属のストロボでは照度が足りない場合や、カメラ付属のストロボからの照射光の他に、別の角度からストロボ光を被写体に当てて撮影効果を狙う場合など、付属のストロボの他に外付けのストロボ装置が用いられることがある。
【０００３】
その場合、外付けのストロボ装置にはスレーブユニットを接続し、このスレーブユニットでカメラ付属のストロボからの発光による被写体からの反射光を感知して、外付けのストロボ装置を発光させることが行われる。
【０００４】
従って、スレーブユニットは、円筒状の筐体の前面に光を入光する半球状の窓が設けられ、この半球上の窓から入って来る光を受光する受光素子（フォトトランジスタ）が筐体に内蔵されている。
【０００５】
カメラ付属のストロボからストロボが発光されると、被写体からの反射光がスレーブユニットの半球状の窓から内部に入射し、これを受光素子が受光するが、受光量が所定レベル以上であると受光素子から所定レベル以上の電圧が発生されて、外付けのストロボ装置を発光させる発光制御信号を外付けのストロボ装置に出力することができる。外付けのストロボ装置は発光制御信号が入力されると、発光部からストロボ光を発光する。
【０００６】
【発明が解決しようとする課題】
しかし、上記のような従来のスレーブユニットでは、半球上の窓から被写体の反射光を入光するだけであるため、スレーブユニットと被写体とが離れていると、半球上の窓から入光する被写体からの反射光量が少なく、前記発光制御信号が外付けのストロボ装置に出力されないことになる。このため、従来のスレーブユニットでは外付けのストロボ装置の設置範囲が限定されていた。
【０００７】
そこで本発明は上記のような課題を解決するためになされたもので、スレーブユニットと被写体とが離れていても外付けのストロボ装置に発光制御信号を出力することができる感度の良好なスレーブユニットを提供することを目的としている。
【０００８】
【課題を解決するための手段】
本発明の課題を解決する請求項１の発明は、ストロボ装置に接続され、被写体からの反射光を透明の窓から入光してその変化を感知して前記ストロボ装置を発光させるスレーブユニットにおいて、前記反射光を入光する透明の窓以外の筐体部分の一部又は全部を透過部材で構成したことを特徴とする。
【０００９】
上記発明によれば、被写体からの反射光はスレーブユニットの透明の窓から入光する光に加えて、透過部材で構成された筐体部分から入光した光が内蔵の受光素子によって受光され、受光量が所定レベル以上であればストロボ装置を発光させる発光制御信号を出力する。
【００１０】
請求項２の発明は、前記請求項１において、前記反射光を入光する透明の窓とは反対の背面を透過部材で構成したことを特徴とする。
【００１１】
上記発明によれば、スレーブユニットの透明の窓から入光した光に加えて、透過部材で構成された背面から入光した光が前記透明の窓から回り込んで内蔵の受光素子によって受光され、受光量が所定レベル以上であればストロボ装置を発光させる発光制御信号を出力する。
【００１２】
請求項３の発明は、前記請求項１又は２において、前記透明の窓は半球状であることを特徴とする。
【００１３】
上記発明によれば、半球状の透明の窓は広い範囲の光を内部に入光すると共に、筐体の透明部分から入光したより多くの光を内蔵の受光素子の前面に回り込ませることができる。
【００１４】
【発明の実施の形態】
以下、本発明の実施の形態を図面を参照して説明する。図１は本発明の一実施の形態に係るスレーブユニットの構成例を示した側面図である。スレーブユニット１は、ほぼ円筒状の不透明な筐体に、例えばフォトトランジスタのような光電素子（図示せず）を内蔵しており、その前面には、光を内部に入光するための図２に示すような半球状の透明の窓１１が設けられている。更に、本スレーブユニット１の図３の斜線で示した筐体背面１２は光を内部に入れることができる透過部材（透明部材も含む）で構成されている。
【００１５】
次に本実施の形態の動作について図４を用いて説明する。ストロボ４１付のカメラ４で被写体１００を撮影する際に、外付けのストロボ装置３を用意し、このストロボ装置３にコード２を通して図１に示したスレーブユニット１を接続する。
【００１６】
その後、カメラ４を被写体１００に向けてシャッターを切ると、付属のストロボ４１が発光して被写体１００を照明する。この時の被写体１００の反射光がスレーブユニット１により感知されて、発光制御信号がコード２を通して外付けのストロボ装置３に出力される。これにより、外付けのストロボ装置３の発光部３１からストロボ光が発光され、被写体１００を別の角度から照明する。
【００１７】
上記の撮影の際に、スレーブユニット１は上記した被写体１００の反射光を半球状の窓１１から入光すると共に、スレーブユニット１の透過部材で構成されている背面１２からも入光し、これが半球状の窓１１から内蔵されている受光素子の前面に回り込む。
【００１８】
従って、仮に被写体１００とスレーブユニット１との距離がかなり離れていても、内蔵の受光素子は前面の反射光だけでなく、背面１２の反射光も受光するため、その分、受光時の光量を大きくすることができ、発光制御信号を外付けのストロボ装置３に出力して、外付けのストロボ装置３を発光させることができる。
【００１９】
本実施の形態によれば、スレーブユニット１の背面１２を透過部材で構成することにより、被写体からの反射光を半球状の窓１１からだけではなく、背面１２からも入光させることができ、これを内蔵の受光素子が受光するため、スレーブユニット１の感度を向上させることができる。
【００２０】
従って、スレーブユニット１と被写体の距離が従来の限界値よりも５倍ほど離れていても、受光素子の受光時の発生電圧を所定レベル以上とすることができるため、発光制御信号を外付けのストロボ装置３に出力してストロボ発光させることができる。このため、被写体１００に対して外付けのストロボ装置３の設置範囲を拡大することができ、各種の状況に対応してユーザが意図する撮影効果を得ることができる。
【００２１】
尚、上記実施の形態では、スレーブユニット１の背面１２を透過部材で構成したが、スレーブユニット１の周面や全体を透過部材で構成しても同様の効果を得ることができる。
【００２２】
また、本発明は上記実施の形態に限定されることなく、その要旨を逸脱しない範囲において、具体的な構成、機能、作用、効果において、他の種々の形態によっても実施することができる。
【００２３】
【発明の効果】
以上記述した如く本発明によれば、スレーブユニットの筐体の全部又は一部を透過部材で構成することにより、その感度を向上させることができ、スレーブユニットと被写体とが離れていても外付けのストロボ装置に発光制御信号を出力してストロボ発光させることができる。従って、外付けのストロボ装置の設置範囲を拡大でき、その使い勝手を向上させることができる。
【図面の簡単な説明】
【図１】本発明の一実施の形態に係るスレーブユニットの構成例を示した側面図である。
【図２】図１に示したスレーブユニットの正面図である。
【図３】図１に示したスレーブユニットの背面図である。
【図４】図１に示したスレーブユニットを外付けのストロボ装置に接続して被写体を撮影する状況を説明する図である。
【符号の説明】
１　スレーブユニット
２　コード
３　外付けのストロボ装置
４　カメラ
１１　窓
１２　背面
３１　発光部
４１　ストロボ
【図１】
2004053754.tif 000003
【図２】
2004053754.tif 000004
【図３】
2004053754.tif 000005
【図４】
2004053754.tif 000006